(57)【要約】【課題】  機器群管理装置２と該機器群管理装置２に接続された制御装置１との間で、煩雑な変更作業を行なうことなく容易に機能の配置を変更することが出来る機器制御システムを提供する。【解決手段】  本発明に係る機器制御システムにおいて、前記機器群管理装置２は、接続されている複数の機器群３、３の動作を制御する複数の機器群制御部22、22、及びこれら複数の機器群制御部22、22と前記制御装置１との間の通信を中継する通信処理部21を具えている。一方、前記制御装置１は、機器群管理装置２の機器群制御部22、22の動作を制御する制御部11、12を具えている。各機器群管理装置２の通信処理部21は、自装置内の機器群制御部22、22との間の通信、及び前記制御装置１の制御部11、12との間の通信に、共通のデータフォーマットを用いる。【選択図】      図１
2006067202.tif 000002
【特許請求の範囲】
【請求項１】
少なくとも１台の機器からなる複数の機器群と、該複数の機器群に接続された１或いは複数の機器群管理装置と、該１或いは複数の機器群管理装置に接続された１或いは複数の制御装置とを具え、各機器群管理装置は、接続されている１或いは複数の機器群の動作を制御する１或いは複数の第１制御部と、該１或いは複数の第１制御部と前記１或いは複数の制御装置の全て或いは一部の制御装置との間の通信を中継する通信処理部とを具えている一方、各制御装置は、機器群管理装置の第１制御部の動作を制御する第２制御部を具えている機器制御システムにおいて、各機器群管理装置の通信処理部は、自装置内の第１制御部との間の通信、及び制御装置の第２制御部との間の通信に、共通のデータフォーマットを用いることを特徴とする機器制御システム。
【請求項２】
各機器群管理装置の第１制御部は複数であって、各第１制御部に１つの機器群が接続され、前記データフォーマットを有するデータには、機器群管理装置を識別するための装置識別情報と機器群或いは各機器群を構成する機器を識別するための機器群／機器識別情報とが含まれており、各機器群管理装置の通信処理部は、
制御装置の第２制御部から送信されたデータを受信する手段と、
該受信データに含まれる装置識別情報が自装置の装置識別情報と一致するか否かを判断する手段と、
両識別情報が一致する場合に、複数の第１制御部の内、前記受信データに含まれる機器群／機器識別情報を有する機器群或いは機器を制御する第１制御部に該受信データを送信する手段と、
第１制御部から送信されたデータを受信する手段と、
該受信データに含まれる装置識別情報と所定の識別情報とを比較する手段と、
前記比較結果に応じて、前記複数の第１制御部の内、前記受信データを送信した第１制御部以外の他の第１制御部、或いは前記制御装置の第２制御部に、該受信データを送信する手段
とを具えている請求項１に記載の機器制御システム。
【請求項３】
少なくとも１台の機器からなる複数の機器群と、該複数の機器群に接続された１或いは複数の機器群管理装置と、該１或いは複数の機器群管理装置に接続された１或いは複数の制御装置とを具え、該１或いは複数の機器群管理装置の内、少なくとも１つの機器群管理装置は、接続されている１或いは複数の機器群の動作を制御する１或いは複数の第１制御部と、該１或いは複数の第１制御部の動作を制御する第２制御部と、該１或いは複数の第１制御部と前記１或いは複数の制御装置の全て或いは一部の制御装置との間、及び該１或いは複数の第１制御部と前記第２制御部との間の通信を中継する通信処理部とを具えている機器制御システムにおいて、前記機器群管理装置の通信処理部は、自装置内の第１制御部との間の通信、自装置内の第２制御部との間の通信、及び制御装置との間の通信に、共通のデータフォーマットを用いることを特徴とする機器制御システム。
【請求項４】
少なくとも１台の機器からなる複数の機器群と、該複数の機器群に接続された１或いは複数の機器群管理装置と、該１或いは複数の機器群管理装置に接続された１或いは複数の制御装置とを具えた機器制御システムにおいて、コンピュータを、接続されている１或いは複数の機器群の動作を制御すると共に前記１或いは複数の制御装置の全て或いは一部の制御装置と通信を行なう機器群管理装置として機能させるためのプログラムであって、
接続されている１或いは複数の機器群の動作を制御する１或いは複数の制御プログラムと、
制御装置から所定のデータフォーマットを有するデータを受信し、該データフォーマットを維持して、受信したデータを前記１或いは複数の制御プログラムの全て或いは一部の制御プログラムに送信する第１通信プログラムと、
制御プログラムから前記データフォーマットを有するデータを受信し、該データフォーマットを維持して、受信したデータを制御装置に送信する第２通信プログラム
とを具えているプログラム。
【請求項５】
制御プログラムは複数であって、前記所定のデータフォーマットを有するデータには、機器群管理装置を識別するための装置識別情報と機器群或いは各機器群を構成する機器を識別するための機器群／機器識別情報とが含まれており、前記第１通信プログラムは、
制御装置から送信されたデータを受信する処理と、
該受信データに含まれる装置識別情報が自装置の装置識別情報と一致するか否かを判断する処理と、
両識別情報が一致する場合に、複数の制御プログラムの内、前記受信データに含まれる機器群／機器識別情報を有する機器群或いは機器を制御する制御プログラムに該受信データを送信する処理
とをコンピュータに実行させるためのものであり、前記第２通信プログラムは、
制御プログラムから送信されたデータを受信する処理と、
該受信データに含まれる装置識別情報と所定の識別情報とを比較する処理と、
前記比較結果に応じて、前記複数の制御プログラムの内、前記受信データを送信した制御プログラム以外の他の制御プログラム、或いは前記制御装置に、該受信データを送信する処理
とをコンピュータに実行させるためのものである請求項４に記載のプログラム。
【発明の詳細な説明】
【技術分野】
【０００１】
本発明は、複数の機器群の動作を制御する機器制御システムに関するものである。
【背景技術】
【０００２】
スーパーマーケットやコンビニエンスストア等の店舗においては、商品を冷却するショーケースや店内の空調を行なう空調機等、種類の異なる多数の機器が設置されており、近年、複数の店舗にそれぞれ設置されている複数台の機器を対象として、これらの機器の運転状態を遠隔地から集中的に監視する遠隔監視システムの開発が進められている。
【０００３】
図７は、遠隔監視システムの構成例を表わしている。該遠隔監視システムにおいては、複数の店舗にそれぞれ、監視対象とする複数の機器群(３)(３)と、それら複数の監視対象機器群(３)(３)に接続された機器群管理装置(20)とが設置されており、各店舗の機器群管理装置(20)は、電話回線等の通信回線(４)を介して、監視センターに設置されている遠隔監視装置(１)に繋がっている。
各店舗の機器群管理装置(20)は、複数の監視対象機器群(３)(３)のそれぞれに接続されて各監視対象機器群(３)の動作を制御する複数の機器群制御部(22)(22)と、これら複数の機器群制御部(22)(22)と前記遠隔監視装置(１)との間の通信を中継する通信処理部(23)とを具えている。尚、監視対象機器群(３)の通信プロトコルは、機器の種類やメーカによって異なり、各機器群制御部(22)は、接続されている監視対象機器群(３)の通信プロトコルに従って、監視対象機器群(３)と通信を行なう。
一方、前記遠隔監視装置(１)は、各機器群管理装置(20)から取得した運転状態データと過去の運転状態データとの比較結果に基づいて複数の監視対象機器群(３)(３)の故障の発生を検知及び予知する監視制御部(11)と、ユーザにより設定された運転状態情報(例えば、消費電力に関する情報)と各機器群管理装置(20)から取得した運転状態データとに基づいて各機器群管理装置(20)の複数の機器群制御部(22)(22)の動作を制御する運転制御部(12)とを具えている。
【０００４】
図８は、遠隔監視装置(１)が監視対象機器群(３)からデータを取得する際のデータの流れを表わしている。図示の如く、先ず遠隔監視装置(１)から、該装置のデータフォーマット(以下、外部データフォーマットという)を有するデータ参照要求データが機器群管理装置(20)に送信される。機器群管理装置(20)の通信処理部(23)は、該データ参照要求データを受信し、受信したデータを、機器群制御部(22)のデータフォーマット(以下、内部データフォーマットという)に変換して機器群制御部(22)に供給する。機器群制御部(22)は、該データ参照要求データを受信して、接続されている監視対象機器群(３)にデータ取得要求を発し、これによって該監視対象機器群(３)から出力されたデータを受信して該データを内部データフォーマットに変換し、通信処理部(23)に供給する。通信処理部(23)は、機器群制御部(22)から供給されたデータを、外部データフォーマットに変換して遠隔監視装置(１)に送信する。この様にして、遠隔監視装置(１)は、監視対象機器群(３)からデータを取得することになる。
【０００５】
尚、ビル内の空調機や照明機器などの設備機器の制御や状態監視を行なう設備管理システムが提案されている(特許文献１参照)。該設備管理システムにおいては、対象設備に設備管理装置が接続されており、設備管理装置と対象設備との外部通信及び設備管理装置内の内部通信に、共通のデータ構造記述言語が用いられる。
【特許文献１】特開２００１−１４３８６号公報[G06F 17/60]
【発明の開示】
【発明が解決しようとする課題】
【０００６】
ところで、遠隔監視システムにおいては、図７に示す遠隔監視装置(１)と各機器群管理装置(20)との間のデータ通信量を減少させて通信料金を低減させるために、図９に示す如く遠隔監視装置(１)の運転制御部(12)と同じ機能を有する運転制御部(24)を各機器群管理装置(20)に設けることが考えられる。
しかしながら、図７に示す従来の機器群管理装置(20)の通信処理部(23)は、遠隔監視装置(１)から外部データフォーマットを有するデータを受信したときに該データを内部データフォーマットに変換するものであるため、図９に示すシステムを構築する場合には、遠隔監視装置(１)の運転制御部(12)を内部データフォーマットで通信可能なものに変更しなければならず、その変更作業が煩雑である問題があった。
又、図７に示す遠隔監視装置(１)の運転制御部(12)を変更することなく機器群管理装置(20)に設けることも考えられる。しかし、かかる構成においては、遠隔監視装置(１)からのデータが機器群制御部(22)に対するものである場合には、該データを内部データフォーマットに変換する必要があるのに対し、該データが運転制御部(12)に対するものである場合には、内部データフォーマットに変換する必要はないため、通信処理部(23)に、遠隔監視装置(１)からデータを受信したときに内部データフォーマットへの変換の要否を判断する処理を追加しなければならず、その変更作業が煩雑である問題があった。
そこで本発明の目的は、機器群管理装置と該機器群管理装置に接続された上記遠隔監視装置等の制御装置との間で、煩雑な変更作業を行なうことなく容易に機能の配置を変更することが出来る機器制御システムを提供することである。
【課題を解決するための手段】
【０００７】
本発明に係る第１の機器制御システムは、少なくとも１台の機器からなる複数の機器群と、該複数の機器群に接続された１或いは複数の機器群管理装置と、該１或いは複数の機器群管理装置に接続された１或いは複数の制御装置とを具え、各機器群管理装置は、接続されている１或いは複数の機器群の動作を制御する１或いは複数の第１制御部と、該１或いは複数の第１制御部と前記１或いは複数の制御装置の全て或いは一部の制御装置との間の通信を中継する通信処理部とを具えている一方、各制御装置は、機器群管理装置の第１制御部の動作を制御する第２制御部を具えている。そして、各機器群管理装置の通信処理部は、自装置内の第１制御部との間の通信、及び制御装置の第２制御部との間の通信に、共通のデータフォーマットを用いる。
【０００８】
上記本発明に係る第１の機器制御システムにおいては、制御装置の第２制御部は、機器群管理装置内で通信処理部と第１制御部との間の通信に用いられるデータフォーマットで該通信処理部と通信を行なうことが出来るので、該第２制御部と同じ機能を機器群管理装置に持たせんとする場合、該第２制御部を変更することなく機器群管理装置に配置することが出来る。又、通信処理部に、外部からデータを受信したときにフォーマット変換が必要であるか否かを判断する処理を追加する必要もない。
【０００９】
具体的には、各機器群管理装置の第１制御部は複数であって、各第１制御部に１つの機器群が接続され、前記データフォーマットを有するデータには、機器群管理装置を識別するための装置識別情報と機器群或いは各機器群を構成する機器を識別するための機器群／機器識別情報とが含まれている。そして、各機器群管理装置の通信処理部は、
制御装置の第２制御部から送信されたデータを受信する手段と、
該受信データに含まれる装置識別情報が自装置の装置識別情報と一致するか否かを判断する手段と、
両識別情報が一致する場合に、複数の第１制御部の内、前記受信データに含まれる機器群／機器識別情報を有する機器群或いは機器を制御する第１制御部に該受信データを送信する手段と、
第１制御部から送信されたデータを受信する手段と、
該受信データに含まれる装置識別情報と所定の識別情報とを比較する手段と、
前記比較結果に応じて、前記複数の第１制御部の内、前記受信データを送信した第１制御部以外の他の第１制御部、或いは前記制御装置の第２制御部に、該受信データを送信する手段
とを具えている。
【００１０】
上記具体的構成においては、複数の機器群或いは各機器群を構成する機器の識別に、各機器群管理装置に対して付与される装置識別情報と各機器群或いは各機器に対して付与される機器識別情報の２階層の識別情報が用いられるので、例えば機器群管理装置を追加する際には、該管理装置に接続されている複数の機器群或いは機器に対して夫々、他の機器群管理装置に接続されている複数の機器群或いは機器の識別情報とは無関係に識別情報を付与することが出来る。又、１つの機器群管理装置に新たな機器群或いは機器を追加する際にも、他の機器群管理装置に接続されている複数の機器群或いは機器の識別情報とは無関係に識別情報を付与することが出来る。
上記具体的構成によれば、機器群管理装置や機器群を追加する際に、追加された機器群或いは機器に対して容易に識別情報を付与することが出来る。
【００１１】
本発明に係る第２の機器制御システムは、少なくとも１台の機器からなる複数の機器群と、該複数の機器群に接続された１或いは複数の機器群管理装置と、該１或いは複数の機器群管理装置に接続された１或いは複数の制御装置とを具え、該１或いは複数の機器群管理装置の内、少なくとも１つの機器群管理装置は、接続されている１或いは複数の機器群の動作を制御する１或いは複数の第１制御部と、該１或いは複数の第１制御部の動作を制御する第２制御部と、該１或いは複数の第１制御部と前記１或いは複数の制御装置の全て或いは一部の制御装置との間、及び該１或いは複数の第１制御部と前記第２制御部との間の通信を中継する通信処理部とを具えている。そして、前記機器群管理装置の通信処理部は、自装置内の第１制御部との間の通信、自装置内の第２制御部との間の通信、及び制御装置との間の通信に、共通のデータフォーマットを用いる。
【００１２】
上記本発明に係る第２の機器制御システムにおいては、機器群管理装置の第２制御部は、通信処理部と制御装置との間の通信に用いられるデータフォーマットで該通信処理部と通信を行なうことが出来るので、該第２制御部と同じ機能を制御装置に持たせんとする場合、該第２制御部を変更することなく制御装置に配置することが出来る。又、仮に、機器群管理装置の第２制御部と通信処理部との間の通信に用いられるデータフォーマットが、通信処理部と第１制御部との間、及び通信処理部と制御装置との間の通信に用いられるものと異なる場合、該第２制御部を変更することなく制御装置に配置する際には、機器群管理装置の通信処理部に、制御装置からデータを受信したときに第１制御部との間に用いられるデータフォーマットへの変換が必要であるか否かを判断する処理を追加しなければならないが、上記機器制御システムによれば、該判断処理を追加する必要もない。
【発明の効果】
【００１３】
本発明に係る第１及び第２の機器制御システムによれば、機器群管理装置と制御装置との間で、煩雑な変更作業を行なうことなく容易に機能の配置を変更することが出来る。
【発明を実施するための最良の形態】
【００１４】
以下、本発明を図１に示す遠隔監視システムに実施した形態につき、図面に沿って具体的に説明する。
本発明に係る遠隔監視システムにおいては、複数の店舗にそれぞれ、１或いは複数台のショーケースからなるショーケース群や１或いは複数台の空調機からなる空調機群などの複数の監視対象機器群(３)(３)と、それら複数の監視対象機器群(３)(３)に接続された機器群管理装置(２)とが設置されており、各店舗の機器群管理装置(２)は、電話回線等の通信回線(４)を介して、監視センターに設置されている遠隔監視装置(１)に繋がっている。
各店舗の機器群管理装置(２)は、複数の監視対象機器群(３)(３)のそれぞれに接続されて各監視対象機器群(３)の動作を制御する複数の機器群制御部(22)(22)と、これら複数の機器群制御部(22)(22)と前記遠隔監視装置(１)との間の通信を中継する通信処理部(21)とを具えている。複数の機器群制御部(22)(22)及び通信処理部(21)はそれぞれプログラムによって実現されている。
一方、遠隔監視装置(１)は、各機器群管理装置(２)から取得した運転状態データと過去の運転状態データとの比較結果に基づいて複数の監視対象機器群(３)(３)の故障の発生を検知及び予知する監視制御部(11)と、ユーザにより設定された運転状態情報(例えば、消費電力に関する情報)と各機器群管理装置(２)から取得した運転状態データとに基づいて複数の機器群制御部(22)(22)の動作を制御する運転制御部(12)とを具えている。監視制御部(11)及び運転制御部(12)はそれぞれプログラムによって実現されている。
【００１５】
本発明に係る遠隔監視システムにおいては、各機器群管理装置(２)の通信処理部(21)と遠隔監視装置(１)の監視制御部(11)及び運転制御部(12)との間の通信、各機器群管理装置(２)の通信処理部(21)と複数の機器群制御部(22)(22)との間の通信に、共通のデータフォーマットが用いられる。
図２は、該データフォーマットを有するデータの構造を表わしており、該データは、送信データのバイト数、通信フォーマットのバージョン情報、機器群管理装置を識別するための管理装置ＩＤ情報、監視対象機器群を識別するための機器群ＩＤ情報、コマンド要求を識別するためのコマンド要求ＩＤ情報、コマンド応答を識別するためのコマンド応答ＩＤ情報、シーケンス番号及び送信情報から構成される。
遠隔監視装置(１)は、例えば、管理装置ＩＤ“１”を有する機器群管理装置(２)に接続されている機器群ＩＤ“２”を有する機器群(３)を遠隔制御する場合には、管理装置ＩＤ情報として“１”、機器群ＩＤ情報として“２”を含むデータを機器群管理装置(２)に向けて送信する。
【００１６】
図３は、遠隔監視装置(１)が監視対象機器群(３)からデータを取得する際のデータの流れを表わしている。先ず遠隔監視装置(１)から、図２に示すデータフォーマットを有するデータ参照要求データが機器群管理装置(２)に送信される。ここで、該データ要求参照データには、データを取得せんとする監視対象機器群(３)が接続されている機器群管理装置(２)のＩＤ情報、該監視対象機器群(３)のＩＤ情報、及びデータ参照要求コマンドのＩＤ情報が含まれる。
機器群管理装置(２)の通信処理部(21)は、前記データ参照要求データを受信し、受信したデータを、フォーマット変換することなく、該受信データに含まれる機器群ＩＤを有する監視対象機器群(３)が接続された機器群制御部(22)に供給する。機器群制御部(22)は、該データ参照要求データを受信して、接続されている監視対象機器群(３)にデータ取得要求を発し、これによって該監視対象機器群(３)から出力されたデータを受信して、該データから、図２に示すデータフォーマットを有する応答データを作成し、通信処理部(21)に供給する。ここで、機器群ＩＤ情報として遠隔監視装置(１)のＩＤが含まれると共に、データ参照要求コマンドに対する応答コマンドのＩＤが含まれる。又、送信情報として、監視対象機器群から受信したデータが含まれる。
通信処理部(21)は、機器群制御部(22)から供給されたデータを、フォーマット変換することなく遠隔監視装置(１)に送信する。この様にして、遠隔監視装置(１)は、監視対象機器群(３)からデータを取得することになる。
【００１７】
図４は、各機器群管理装置(２)の通信処理部(21)が遠隔監視装置(１)からのデータ受信時に実行する手続きを表わしており、先ずステップＳ１では、遠隔監視装置(１)からのデータの受信に待機する。
遠隔監視装置(１)からのデータを受信すると、ステップＳ２に移行して、該データに含まれる管理装置ＩＤ情報が自装置のＩＤと一致するか否かを判断し、イエスと判断された場合には、ステップＳ３にて、前記データに含まれる機器群ＩＤを有する監視対象機器群(３)が接続された機器群制御部(22)に該データをそのまま送信した後、ステップＳ１に戻って遠隔監視装置(１)からのデータの受信に待機する。
これに対し、遠隔監視装置(１)からのデータに含まれる管理装置ＩＤ情報が自装置のＩＤと一致しない場合には、ステップＳ４にて、遠隔監視装置(１)に該データが自装置宛でない旨のメッセージを返信した後、ステップＳ１に戻って遠隔監視装置(１)からのデータの受信に待機する。
【００１８】
図５は、各機器群管理装置(２)の通信処理部(21)が機器群制御部(22)からのデータ受信時に実行する手続きを表わしており、先ずステップＳ１１では、機器群制御部(22)からのデータの受信に待機する。
機器群制御部(22)からのデータを受信すると、ステップＳ１２に移行して、該データに含まれる管理装置ＩＤ情報が“０”の値であるか否かを判断し、イエスと判断された場合には、ステップＳ１３にて、前記データに含まれる機器群ＩＤを有する監視対象機器群(３)が接続された他の機器群制御部(22)、或いは他の機器群管理装置(２)の通信処理部(21)に該データを送信した後、ステップＳ１１に戻って機器群制御部(22)からのデータの受信に待機する。
これに対し、機器群制御部(22)からのデータに含まれる管理装置ＩＤ情報が“０”の値ではなく、該データに含まれる機器群ＩＤ情報が遠隔監視装置のＩＤ情報である場合には、ステップＳ１４にて、遠隔監視装置(１)に該データをそのまま送信した後、ステップＳ１１に戻って機器群制御部(22)からのデータの受信に待機する。
【００１９】
本発明に係る遠隔監視システムにおいては、遠隔監視装置(１)の監視制御部(11)及び運転制御部(12)は、機器群管理装置(２)内で通信処理部(21)と機器群制御部(22)との間の通信に用いられるデータフォーマットで該通信処理部(21)と通信を行なうことが出来るので、例えば運転制御部(12)と同じ機能を機器群管理装置(２)に持たせんとする場合、図６に示す如く該運転制御部(12)を変更することなく機器群管理装置(２)に配置することが出来る。又、通信処理部(21)に、外部からデータを受信したときにフォーマット変換が必要であるか否かの判断処理を追加する必要もない。この様に、遠隔監視装置(１)と機器群管理装置(２)との間で、煩雑なプログラム変更作業を行なうことなく容易に機能の配置を変更することが出来る。
例えば、多数の機器群が設置されている店舗においては、複数の機器群管理装置を設置する場合があるが、この場合には、図６に示す如く１台の機器群管理装置(２)に運転制御部(12)を設けて、該機器群管理装置(２)の通信処理部(21)と他の機器群管理装置(２)の通信処理部(21)とを例えばローカルエリアネットワーク網(５)により互いに接続すれば、１台の機器群管理装置(２)の運転制御部(12)によって、他の機器群管理装置(２)に接続されている複数の監視対象機器群(３)(３)からデータを取得することが出来る。
【００２０】
又、機器群管理装置(２)の通信処理部(21)は、データフォーマットを変換する処理を行なう必要がないので、従来の機器群管理装置(20)の通信処理部(23)に比べて処理負担が軽減される。
【００２１】
更に、複数の監視対象機器群(３)の識別に、各機器群管理装置(２)に対して付与される管理装置ＩＤ情報と各監視対象機器群(３)に対して付与される機器群ＩＤ情報の２階層のＩＤ情報が用いられるので、例えば機器群管理装置(２)を追加する際には、該管理装置(２)に接続されている複数の機器群(３)(３)に対して夫々、他の機器群管理装置(２)に接続されている複数の機器群(３)(３)のＩＤ情報とは無関係にＩＤ情報を付与することが出来る。又、１つの機器群管理装置(２)に新たな機器群(３)を追加する際にも、他の機器群管理装置(２)に接続されている複数の機器群(３)(３)の識別情報とは無関係にＩＤ情報を付与することが出来る。この様に、機器群管理装置(２)や機器群(３)を追加する際に、追加された機器群(３)に対して容易にＩＤ情報を付与することが出来る。
【００２２】
尚、本発明の各部構成は上記実施の形態に限らず、特許請求の範囲に記載の技術的範囲内で種々の変形が可能である。
例えば、上記実施の形態においては、各監視対象機器群に対して監視対象機器群(３)を識別するための機器群ＩＤを付与しているが、各監視対象機器群を構成する各機器に対して機器を識別するための機器ＩＤを付与し、遠隔監視装置(１)と機器群管理装置(２)との間で、上述の管理装置ＩＤ情報と機器ＩＤ情報とを用いて通信を行なう構成を採用することも可能である。かかる構成においては、機器群管理装置(２)の通信処理部(21)は、遠隔監視装置(１)からの受信データに含まれる機器ＩＤから該機器を制御する機器群制御部(22)を特定して該受信データを該機器群制御部(22)に送信し、該機器群制御部(22)は、該受信データに含まれる機器ＩＤを有する機器からデータの取得等を行なう。
【００２３】
又、機器群管理装置(２)の通信処理部(21)が遠隔監視装置(１)からの受信データに含まれる機器群ＩＤ情報或いは機器ＩＤ情報から１つの機器群制御部(22)を特定して該受信データを該機器群制御部(22)に送信する構成に限らず、受信データを全ての機器群制御部(22)に送信する構成を採用することも可能である。該構成においては、各機器群制御部(22)は、受信データに含まれている機器群ＩＤ情報或いは機器ＩＤ情報が接続されている監視対象機器群(３)の機器群ＩＤ情報或いは接続されている機器の機器ＩＤ情報である場合に、該監視対象機器群(３)或いは該機器からデータの取得等を行なう一方、接続されている監視対象機器群(３)の機器群ＩＤ情報或いは接続されている機器の機器ＩＤ情報でない場合には、その旨のメッセージを通信処理部(21)に返信する。そして、通信処理部(21)は、全ての機器群制御部(22)から該メッセージを受信したとき、遠隔監視装置(１)に受信データが自装置宛でない旨のメッセージを返信する。
更に、上記実施の形態においては、本発明を１台の遠隔監視装置(１)を具えた遠隔監視システムに実施しているが、複数台の遠隔監視装置を具えた遠隔監視システムに実施することも可能である。該システムにおいては、複数台の遠隔監視装置にそれぞれ上記の管理装置ＩＤを付与することにより、それら複数台の遠隔監視装置と複数台の機器群管理装置との間で通信を行なうことが出来る。
【図面の簡単な説明】
【００２４】
【図１】本発明を実施した遠隔監視システムの構成を表わすブロック図である。
【図２】データフォーマットを表わす図である。
【図３】上記遠隔監視システムの遠隔監視装置が監視対象機器群からデータを取得する際のデータの流れを表わす図である。
【図４】機器群管理装置の通信処理部が遠隔監視装置からのデータ受信時に実行する手続きを表わすフローチャートである。
【図５】機器群管理装置の通信処理部が機器群制御部からのデータ受信時に実行する手続きを表わすフローチャートである。
【図６】上記遠隔監視システムの構成の変更例を表わすブロック図である。
【図７】従来の遠隔監視システムの機能構成を表わすブロック図である。
【図８】上記遠隔監視システムの遠隔監視装置が監視対象機器群からデータを取得する際のデータの流れを表わす図である。
【図９】上記遠隔監視システムの構成の変更例を表わすブロック図である。
【符号の説明】
【００２５】
(１)  遠隔監視装置
(11)  監視制御部
(12)  運転制御部
(２)  機器群管理装置
(21)  通信処理部
(22)  機器群制御部
(３)  監視対象機器群
(４)  通信回線
【図１】
2006067202.tif 000003
【図２】
2006067202.tif 000004
【図３】
2006067202.tif 000005
【図４】
2006067202.tif 000006
【図５】
2006067202.tif 000007
【図６】
2006067202.tif 000008
【図７】
2006067202.tif 000009
【図８】
2006067202.tif 000010
【図９】
2006067202.tif 000011